(57)【特許請求の範囲】
【請求項１】
筒状に形成され、導風路を備えるとともに一端開口側に互いに嵌合自在な第一嵌合凹部と第一嵌合凸部とのうちのいずれか一方を有するダクト部材と、
一端開口側に前記第一嵌合凹部と前記第一嵌合凸部との他方を有し、前記導風路に風の流れを起こすファンと、前記ファンを駆動するモータと、を備えるファン部材と、
前記第一嵌合凹部と前記第一嵌合凸部との各々に設けられ、互に前記モータの軸方向で対向する第一対向部と、
前記第一嵌合凹部と前記第一嵌合凸部との各々に設けられ、互に前記モータの回転方向で対向する第二対向部と、
前記第一嵌合凹部と前記第一嵌合凸部との嵌合状態を保持可能な係合部材と、
前記第一嵌合凹部の前記第一対向部と前記第一嵌合凸部の前記第一対向部との間及び前記第一嵌合凹部の前記第二対向部と前記第一嵌合凸部の前記第二対向部との間に配されて、弾性材で形成され前記両第一対向部の間に押圧されて収容され、前記モータの振動を吸収する第一弾性部材と、を備える送風装置であって、
前記第一嵌合凹部は、第一のｎ辺（ｎは任意の３以上の整数）形状に形成され、
前記第一嵌合凸部は、前記第一のｎ辺形状に相対する第二のｎ辺形状に形成され、
前記第一弾性部材には、前記第一のｎ辺形状と前記第二のｎ辺形状との夫々のｎ個の頂点部のうち、ｎ個の隅を形成する任意のｎ個の前記頂点部を選択して、その選択された前記頂点部を形成した二辺に跨りその選択された前記頂点部を覆う様に設けられた頂部と、その選択された前記頂点部に設けられた取付穴に挿入された状態で前記頂点部に取り付けられる軸部と、が形成された送風装置。
【請求項２】
前記ファン部材は、前記第一嵌合凸部を備え、前記第一弾性部材が前記第一嵌合凸部の前記頂点部を覆うように設けられた請求項１に記載の送風装置。
【請求項３】
前記ファン部材は、他端開口側に互いに嵌合自在な第二嵌合凹部と第二嵌合凸部とのうちいずれか一方を有し、一端開口側に前記第二嵌合凹部と前記第二嵌合凸部との他方を有する第二ダクト部材を備え、前記第二嵌合凹部と前記第二嵌合凸部との各々に設けられ、互に前記モータの軸方向で対向する第三対向部と、
前記第二嵌合凹部と前記第二嵌合凸部との各々に設けられ、前記モータの回転方向で対向する第四対向部と、
前記第二嵌合凹部の前記第三対向部と前記第二嵌合凸部の前記第三対向部との間及び前記第二嵌合凹部の前記第四対向部と前記第二嵌合凸部の前記第四対向部との間に配されて、弾性材で形成され前記両第三対向部の間に押圧されて収容され、前記モータの振動を吸収する第二弾性部材と、を備えた請求項１または２に記載の送風装置であって、
前記第二嵌合凹部は、第三のｎ辺（ｎは任意の３以上の整数）形状に形成され、
前記第二嵌合凸部は、前記第三のｎ辺形状に相対する第四のｎ辺形状に形成され、
前記第二弾性部材には、前記第三のｎ辺形状と前記第四のｎ辺形状との夫々のｎ個の頂点部のうち、ｎ個の隅を形成する任意のｎ個の前記頂点部を選択して、その選択された前記頂点部を形成した二辺に跨りその選択された前記頂点部を覆う様に設けられた頂部と、その選択された前記頂点部に設けられた取付穴に挿入された状態で前記頂点部に取り付けられる軸部と、が形成された送風装置。
【請求項４】
前記ファン部材は、前記第二嵌合凸部を備え、前記第二弾性部材が前記第二嵌合凸部の前記頂点部を覆うように設けられた請求項３に記載の送風装置。
【請求項５】
請求項１乃至４のいずれか一項に記載の前記送風装置が設けられたラジエータを備えているコジェネレーションシステム。
【発明の詳細な説明】
【技術分野】
【０００１】
本発明は、モータにて駆動されるファンを備えるファン部材が、導風路を有するダクト部材に装着され、ファンの作動にて導風路に風の流れを生じる送風装置およびコジェネレーションシステムに関する。
【背景技術】
【０００２】
従来は、ファン部材のダクト部材への装着は、締付けボルトを使用して、強固に固着されていた。（例えば、特許文献１参照。）
【先行技術文献】
【特許文献】
【０００３】
【特許文献１】実開平７−１８１４８号公報
【発明の概要】
【発明が解決しようとする課題】
【０００４】
しかしながら、この様な構成においては、ファン部材のダクト部材への装着は、締付けボルトによる固着のため、ファンを駆動するモータの振動がダクト部材に伝わっていた。それにより、異音を発生していた。なお、モータの振動には、モータの軸方向の振動と、モータの回転方向の振動との両方がある。
【０００５】
そこで、本発明は、ファンを駆動するモータの軸方向及び回転方向の振動が、ダクト部材に伝わることを抑制できる送風装置およびコジェネレーションシステムを提供することを目的とする。
【課題を解決するための手段】
【０００６】
上記課題を解決するために、本発明に係る送風装置およびコジェネレーションシステムは、筒状に形成され、導風路を備えるとともに一端開口側に互いに嵌合自在な第一嵌合凹部と第一嵌合凸部とのうちのいずれか一方を有するダクト部材と、一端開口側に前記第一嵌合凹部と前記第一嵌合凸部との他方を有し、前記導風路に風の流れを起こすファンと、前記ファンを駆動するモータと、を備えるファン部材と、前記第一嵌合凹部と前記第一嵌合凸部との各々に設けられ、互に前記モータの軸方向で対向する第一対向部と、前記第一嵌合凹部と前記第一嵌合凸部との各々に設けられ、互に前記モータの回転方向で対向する第二対向部と、前記第一嵌合凹部と前記第一嵌合凸部との嵌合状態を保持可能な係合部材と、前記第一嵌合凹部の前記第一対向部と前記第一嵌合凸部の前記第一対向部との間及び前記第一嵌合凹部の前記第二対向部と前記第一嵌合凸部の前記第二対向部との間に配されて、弾性材で形成され前記両第一対向部の間に押圧されて収容され、前記モータの振動を吸収する第一弾性部材と、を備えた送風装置であって、前記第一嵌合凹部は、第一のｎ辺（ｎは任意の３以上の整数）形状に形成され、前記第一嵌合凸部は、前記第一のｎ辺形状に相対する第二のｎ辺形状に形成され、前記第一弾性部材には、前記第一のｎ辺形状と前記第二のｎ辺形状との夫々のｎ個の頂点部のうち、ｎ個の隅を形成する任意のｎ個の前記頂点部を選択して、その選択された前記頂点部を形成した二辺に跨りその選択された前記頂点部を覆う様に設けられた頂部と、その選択された前記頂点部に設けられた取付穴に挿入された状態で前記頂点部に取り付けられる軸部と、が形成されたことを要旨とする。
【発明の効果】
【０００７】
本発明に係る送風装置およびコジェネレーションシステムによれば、ファン部材とダクト部材とにおけるモータの軸方向の間及びモータの回転方向の間とに設けた第一弾性部材により、モータの軸方向の振動及びモータの回転方向の振動を吸収できるため、モータの軸方向の振動及びモータ回転方向の振動とのモータの両方向の振動が、ダクト部材に伝わることを抑制できる。
【図面の簡単な説明】
【０００８】
【図１】本発明の送風装置が設けられたラジエータを備えているコジェネレーションシステムを示す概略図である。
【図２】本発明の一実施形態における送風装置の組付け前の状態を示す斜視図である。
【図３】本発明の一実施形態における送風装置の組付け後の状態を示す縦断面図である。
【図４】図３のＡ部の拡大図である。
【発明を実施するための形態】
【０００９】
本発明に係る送風装置１０が用いられる例として、ラジエータ１１がある。ラジエータ１１を備えているコジェネレーションシステム８０について、図１に基づいて説明する。ラジエータ１１は、コジェネレーションシステム８０において、貯湯水を貯湯した貯湯槽８１からの貯湯水を循環する（図１にて矢印の方向に循環する）貯湯水循環ライン８２に設けられる。貯湯水循環ライン８２上には、貯湯槽８１の下端から上端に向かって順番に貯湯水循環ポンプ８３、ラジエータ１１および熱交換器８４が配設されている。熱交換器８４は、燃料電池モジュール８５から排気される燃焼排ガスが供給されるとともに貯湯槽８１からの貯湯水が供給され、燃焼排ガスと貯湯水とが熱交換する熱交換器である。送風装置１０は、貯湯槽８１の貯湯水の温度を下げるために貯湯水循環ライン８２を循環する貯湯水によるラジエータ１１周囲の暖気を取り除く様に設けられる。
【００１０】
以下、本発明による送風装置１０の一実施形態について説明する。図２及び図３に示す様に、送風装置１０は、筒状の第一ダクト部材２０、筒状のファン部材３０及び筒状の第二ダクト部材４０を備える。第一ダクト部材２０は、一端に送風の送入口２１、他端に送入口２１と連通した接続出口２２を有する。第一ダクト部材２０の内部には、送入口２１と接続出口２２とを連通する導風路２３が設けられている。第一ダクト部材２０は、送入口２１が送風対象機器１１、例えば、ラジエータに向く様に設けられる。第一ダクト部材２０は、その材質を限定されるものではないが、合成樹脂が望ましい。
【００１１】
ファン部材３０は、一端に第一ダクト部材２０の接続出口２２と接続される接続入口３１と、他端に接続入口３１と連通した接続出口３２と、を有する。ファン部材３０の内部には、接続入口３１と接続出口３２とを連通する導風路３３が設けられている。ファン部材３０の内部に、モータ３４と、モータ３４により駆動されて回転するファン３５が設けられている。ファン部材３０は、その材質を限定されるものではないが、合成樹脂が望ましい。
【００１２】
第二ダクト部材４０は、一端にファン部材３０の接続出口３２に接族される接続入口４１と、他端に接続入口４１と連通した送風の送出口４２を有する。第二ダクト部材４０の内部には、接続入口４１と送出口４２とを連通する導風路４３が設けられている。第二ダクト部材４０の送出口４２は、開放空間に向けられる。第二ダクト部材４０は、その材質を限定されるものではないが、合成樹脂が望ましい。送風装置１０は、前述のラジエータ１１周囲の暖気を、前述の如く、ファン３５の回転により、送入口２１から、取り入れ、導風路２３、３３、４３を介し、送出口４２から送出する。
【００１３】
第一ダクト部材２０は、一端開口側即ち接続出口２２側に、互いに嵌合自在な第一嵌合凹部と第一嵌合凸部とのうちのいずれか一方である第一嵌合凹部２４を備える。
【００１４】
ファン部材３０は、一端開口側即ち接続入口３１側に、第一嵌合凹部２４と嵌合自在な第一嵌合凸部３６を備える。ファン部材３０は、他端開口側即ち接続出口３２側に、互い嵌合自在な第二嵌合凹部と第二嵌合凸部とのうちのいずれか一方である第二嵌合凸部３７を備える。
【００１５】
第二ダクト部材４０は、一端開口側即ち接続入口４１側に、第二嵌合凸部３７と嵌合自在な第二嵌合凹部４４を備える。
【００１６】
ファン部材３０は、第一嵌合凸部３６が、第一ダクト部材２０の第一嵌合凹部２４に嵌合し、第二嵌合凸部３７が、第二ダクト部材４０の第二嵌合凹部４４に嵌合して、即ち、ファン部材３０は、第一ダクト部材２０と第二ダクト部材４０に挟まれて、図３に示す如く、嵌合状態とされ、その嵌合状態を、係合部材６０にて保持される。この様にして、送付装置１０は、組付けられる。
【００１７】
係合部材６０は、例えば、一方を係止爪とし、他方はその係止爪が係合する係止穴にて構成できる。従って、係合部材６０は、例えば、第一ダクト部材２０に設けられた３個の爪である係止爪２５と、第二ダクト部材４０に設けた係止穴４５にて構成される。
【００１８】
第一嵌合凹部２４と第一嵌合凸部３６とは、図２に示す如く、相対する第一の四辺形状に形成される。図３に示す如く、第一嵌合凹部２４と第一嵌合凸部３６との嵌合状態において、第一嵌合凹部２４と第一嵌合凸部３６とが、互いにモータ３４の軸方向に対向する第一対向部として、第一嵌合凹部２４の第一対向部２４ａ（詳細は、第一嵌合凹部２４から内周側に延在した部分側壁２４ａ）と、第一嵌合凸部３６の第一対向部３６ａ（詳細は、第一嵌合凸部３６から内周側に延在した部分側壁３６ａ）と、が設けられる。
【００１９】
第一嵌合凹部２４と第一嵌合凸部３６との嵌合状態において、第一嵌合凹部２４と第一嵌合凸部３６とが、互いにモータ３４の回転方向に対向する第二対向部として、図２に示す如く、第一嵌合凹部２４の第二対向部２４ｂ（詳細は、第一嵌合凹部２４の四辺形の各頂点部２４ｂ）と、第一嵌合凸部３６の第二対向部３６ｂ（詳細は、第一嵌合凸部３６の四辺形の各頂点部３６ｂ）とが設けられる。
【００２０】
第二嵌合凹部４４と第二嵌合凸部３７とは、図２に示す如く、相対する第二の四辺形状に形成される。第二嵌合凹部４４と第二嵌合凸部３７との嵌合状態において、第二嵌合凹部４４と第二嵌合凸部３７とが、互いにモータ３４の軸方向に対向する第三対向部として、図３に示す如く、第二嵌合凹部４４の第三対向部４４ａ（詳細は、第二嵌合凹部４４から内周側に延在した部分側壁４４ａ）と、図３に示す如く、第二嵌合凸部３７の第三対向部３７ａ（詳細は、第二嵌合凸部３７から内周側に延在した部分側壁３７ａ）と、が設けられる。
【００２１】
第二嵌合凹部４４と第二嵌合凸部３７との嵌合状態において、第二嵌合凹部４４と第二嵌合凸部３７とが、互いにモータ３４の回転方向に対向する第四対向部として、図２に示す如く、第二嵌合凹部４４の第四対向部４４ｂ（詳細は、第二嵌合凹部４４の四辺形の各頂点部４４ｂ）と、図２に示す如く、第二嵌合凸部３７の第四対向部３７ｂ（詳細は、第二嵌合凸部３７の四辺形の各頂点部３７ｂ）と、が設けられる。
【００２２】
第一嵌合凹部２４の第一対向部２４ａと第一嵌合凸部３６の第一対向部３６ａとの間及び第一嵌合凹部２４の第二対向部２４ｂと第一嵌合凸部３６の第二対向部３６ｂとの間とには、弾性材例えばゴム等にて形成された第一弾性部材５１が設けられる。第一弾性部材５１は、図３に示す如く、第一嵌合凹部２４の第一対向部２４ａと第一嵌合凸部３６の第一対向部３６ａの間に押圧されて収容され、モータ３４の振動を吸収する。これにより、ファン部材３０と第一ダクト部材２０とにおけるモータ３４の軸方向の間及びモータ３４の回転方向の間とに設けた第一弾性部材５１により、モータ３４の軸方向の振動及びモータ３４の回転方向の振動とのモータ３４の両方向の振動を吸収できるため、モータ３４の軸方向の振動及びモータ３４の回転方向の振動とのモータ３４の両方向の振動が、第一ダクト部材２０に伝わることを抑制できる。
【００２３】
第二嵌合凹部４４の第三対向部４４ａと第二嵌合凸部３７の第三対向部３７ａとの間と、第二嵌合凹部４４の第四対向部４４ｂと第二嵌合凸部３７の第四対向部３７ｂとの間と、には、弾性材例えばゴム等にて形成された第二弾性部材５２が設けられる。第二弾性部材５２は、図３に示す如く、第二嵌合凹部４４の第三対向部４４ａと第二嵌合凸部３７の第三対向部３７ａの間に押圧されて収容され、モータ３４の振動を吸収する。これにより、ファン部材３０と第二ダクト部材４０とにおけるモータ３４の軸方向の間及びモータ３４の回転方向の間とに設けた第二弾性部材５２により、モータ３４の軸方向の振動及びモータ３４の回転方向の振動とのモータ３４の両方向の振動を吸収できるため、モータ３４の軸方向の振動及びモータ３４の回転方向の振動とのモータ３４の両方向の振動が、第二ダクト部材４０に伝わることを抑制できる。
【００２４】
この様に、ファン部材３０を、第一ダクト部材２０及び第二ダクト部材４０に対して、第一弾性部材５１及び第二弾性部材５２を介して、フローテイング状態にできるため、モータ３４の振動が第一ダクト部材２０及び第二ダクト部材４０の両方に伝わることを抑制できる。なお、第一弾性部材５１及び第二弾性部材５２は、ゴムに限定されるものでなく、ばね等、弾性を有すれば足りるものである。
【００２５】
第一弾性部材５１は、例えば、図２に示す如く、ファン部材３０の第一嵌合凸部３６の四辺形の４箇所の頂点部３６ｂを覆う様に即ち頂点部３６ｂを形成した二辺に跨る様に各１個が設けられている。第一弾性部材５１は、図４に示す如く、軸部５１ａと頂部５１ｂとを有した断面略Ｔ字状に形成されている。第一弾性部材５１は、軸部５１ａが第一嵌合凸部３６に設けられた取付穴３６ｃに挿入されて、第一嵌合凸部３６に取り付けられる。この取付穴３６ｃは、従来のファン部材をダクト部材に固定する締付けボルト用の取付穴を利用できる。
【００２６】
第一嵌合凹部２４と第一嵌合凸部３６との嵌合状態では、図４に示す如く、第一弾性部材５１の頂部５１ｂの第一部分５１ｂ１は、第一嵌合凹部２４の第一対向部２４ａと第一嵌合凸部３６の第一対向部３６ａとの間に挟まれることにより、押圧されて収容される。これにより、ファン部材３０と第一ダクト部材２０とにおけるモータ３４の軸方向の間に設けられた第一弾性部材５１（詳細には、第一弾性部材５１の頂部５１ｂの第一部分５１ｂ１）により、モータ３４の軸方向の振動を吸収できるため、モータ３４の軸方向の振動が、第一ダクト部材２０に伝わることを抑制できる。
【００２７】
第一弾性部材５１の頂部５１ｂの第二部分５１ｂ２は、図４に示す如く、四辺形状のファン部材３０の第一嵌合凸部３６の頂点部３６ｂを覆う様に即ち頂点部３６ｂを形成した二辺に跨る様に第二対向部３６ｂに設けられている。第一弾性部材５１の頂部５１ｂの第二部分５１ｂ２は、図４に示す如く、第一嵌合凹部２４の第二対向部２４ｂと第一嵌合凸部３６の第二対向部３６ｂとの間に挟まれて、モータ３４の回転方向の振動により押圧される。これにより、ファン部材３０と第一ダクト部材２０とにおけるモータ３４の回転方向の間に設けられた第一弾性部材５１（詳細には、第一弾性部材５１の頂部５１ｂの第二部分５１ｂ２）により、モータ３４の回転方向の振動を吸収できるため、モータ３４の回転方向の振動が、第一ダクト部材２０に伝わることを抑制できる。
【００２８】
第二弾性部材５２は、例えば、前述の第一弾性部材５１と同様であり、図２に示す如く、ファン部材３０の第二嵌合凸部３７に設けられるとのみが、第一弾性部材５１と相違する。従って、第二弾性部材５２の詳細についての説明は省略する。
【００２９】
第二ダクト部材４０は、図２に示す如く、導風路４３に、ファン３５による送風を阻害しない張り出し部４６が、第二嵌合凹部４４から延在して設けられる。張り出し部４６は、ファン３５による送風を阻害しない様、モータ３４の投影面積と同等な第一部分４６ａと、モータ３４の配線の投影面積と同等な第二部分４６ｂと、を備える。
【００３０】
張り出し部４６の第一部分４６ａにより、第二ダクト部材４０からモータ３４への雨水の浸入を抑制でき、モータ３４の防水性が向上できる。同様に、張り出し部４６の第二部分４６ｂにより、モータ３４の配線の防水性を向上できる。又、張り出し部４６の第一部分４６ａには、吸音材を備える吸音部材５３を設けることができる。張り出し部４６の第一部分４６ａに設けられた吸音部材５３にて、ファン３５の騒音を吸音できて、ファン３５による騒音を低減できる。この様に、吸音部材５３を、ファン３５に接近した位置に設けることができるため、効果的にファン３５の騒音を抑制できる。
【００３１】
本実施形態では、ファン部材３０と第二ダクト部材４０とは、分割して、別体として構成した例を示したが、ファン部材３０と第二ダクト部材４０とを分割することなく即ち第二ダクト部材４０の第二嵌合凹部４４とファン部材３０の第二嵌合凸部３７とを廃止して、ファン部材３０と第二ダクト部材４０とを一体とした構成のファン部材３０に変更できる。ファン部材３０と第二ダクト部材４０とを、例えば、一体成形により一体とした構成のファン部材３０では、このファン部材３０をダクト部材である第一ダクト部材２０に装着するには、ファン部材３０の第一嵌合凸部３６と第一ダクト部材２０の第一嵌合凹部２４とを嵌合するのみにて行うことができる。又、ファン部材３０と第二ダクト部材４０とを一体とした構成のファン部材３０では、前述の第二弾性部材５２を不要とすることができる。
【００３２】
又、同様に、本実施形態では、ファン部材３０と第一ダクト部材２０とは、分割して、別体として構成した例を示したが、ファン部材３０と第一ダクト部材２０とを分割することなく即ち第一ダクト部材２０の第一嵌合凹部２４とファン部材３０の第一嵌合凸部３６とを廃止して、ファン部材３０と第一ダクト部材２０とを一体とした構成のファン部材３０に変更できる。ファン部材３０と第一ダクト部材２０とを、例えば、一体成形により一体とした構成のファン部材３０では、このファン部材３０をダクト部材である第二ダクト部材４０に装着するには、ファン部材３０の第二嵌合凸部３７と第二ダクト部材４０の第二嵌合凹部４４とを嵌合するのみにて行うことができる。又、ファン部材３０と第一ダクト部材２０とを一体とした構成のファン部材３０では、前述の第一弾性部材５１を不要とすることができる。この構成においては、前述の第一弾性部材５１は不要となるため、前述の第二弾性部材５２を第一弾性部材と読み替えるものとする。
【００３３】
本実施形態では、第１ダクト部材２０は第一嵌合凹部２４を、ファン部材３０は第一嵌合凸部３６と第二嵌合凸部３７を、第二ダクト部材４０は第二嵌合凹部４４とを備えて、第一ダクト部材２０とファン部材３０と第二ダクト部材４０とが嵌合した例を示した。しかしながら、これに限定されることなく、第１ダクト部材２０とファン部材３０と第二ダクト部材４０は、嵌合凹部と嵌合凸部とを適宜選択して、第１ダクト部材２０とファン部材３０と第二ダクト部材４０とを嵌合させることは可能である。
【００３４】
本実施形態では、第一嵌合凹部２４と第一嵌合凸部３６と第二嵌合凸部３７と第二嵌合凹部４４とは、四辺形状の例を示した。しかしながら、これに限定されることなく、第一嵌合凹部２４と第一嵌合凸部３６と第二嵌合凸部３７と第二嵌合凹部４４は、ｎ辺（ｎは任意の３以上の整数）形状に変更することができる。
【００３５】
本実施形態では、第一弾性部材５１及び第二弾性部材５２は、ファン部材３０の第一嵌合凸部３６及び第二嵌合凸部３７に設けた例を示す。しかしながら、これに代えて、第一弾性部材５１を第一ダクト部材２０の第一嵌合凹部２４に設ける変更、又、第二弾性部材５２を第二ダクト部材４０の第二嵌合凹部４４に設ける変更は可能である。
【００３６】
本実施形態では、第一弾性部材５１及び第二弾性部材５２は、ファン部材３０の第一嵌合凸部３６及び第二嵌合凸部３７に夫々４個が設けた例を示すが、これに代えて、第一弾性部材５１及び第二弾性部材５２は、ファン部材３０の第一嵌合凸部３６及び第二嵌合凸部３７の形状に沿って全周に亘って一体品にて設けるように変更することもできる。
【００３７】
本実施形態では、第一弾性部材５１及び第二弾性部材５２の各４個は、ファン部材３０の第一嵌合凸部３６及び第二嵌合凸部３７の四辺形状の４個の頂点部３６ｂ，３７ｂを覆う様に設けた例を示したが、これに、限定されることなく、第一弾性部材５１及び第二弾性部材５２は、ファン部材３０の第一嵌合凸部３６及び第二嵌合凸部３７の四辺形状の任意の箇所を覆う様に、任意の個数を設けることが可能である。
【００３８】
本実施形態では、第一弾性部材５１及び第二弾性部材５２の各４個は、ファン部材３０の第一嵌合凸部３６及び第二嵌合凸部３７の四辺形状の４個の頂点部３６ｂ，３７ｂを覆う様に設けた例を示したが、これに、限定されることなく、以下に示す様に変更することも可能である。例えば、ファン部材３０の第一嵌合凸部３６の４個の頂点部３６ｂと第一ダクト部材２０の第一嵌合凹部２４の４個の頂点部２４ｂとのうち、４個の隅を形成する任意の４個の頂点部を選択し、その選択された頂点部を覆う様に第一弾性部材５１を設ける構成に変更することも可能である。同様に、ファン部材３０の第二嵌合凸部３７の４個の頂点部３７ｂと第二ダクト部材４０の第二嵌合凹部４４の４個の頂点部４４ｂとのうち、４個の隅を形成する任意の４個の頂点部を選択し、その選択された頂点部を覆う様に第二弾性部材５２を設ける構成に変更することも可能である。
【００３９】
上述のように、本実施形態に係る送風装置１０によれば、筒状に形成され、導風路２３，４３を備えるとともに一端開口側に互いに嵌合自在な第一嵌合凹部２４と第一嵌合凸部３６とのうちのいずれか一方を有するダクト部材２０，４０と、一端開口側に第一嵌合凹部２４と第一嵌合凸部３６との他方を有し、導風路２３，４３に風の流れを起こすファン３５と、ファン３５を駆動するモータ３４と、を備えるファン部材３０と、第一嵌合凹部２４と第一嵌合凸部３６との各々に設けられ、互にモータ３４の軸方向で対向する第一対向部２４ａ，３６ａと、第一嵌合凹部２４と第一嵌合凸部３６との各々に設けられ、互にモータ３４の回転方向で対向する第二対向部２４ｂ，３６ｂと、第一嵌合凹部２４と第一嵌合凸部３６との嵌合状態を保持可能な係合部材６０と、第一嵌合凹部２４の第一対向部２４ａと第一嵌合凸部３６の第一対向部３６ａとの間及び第一嵌合凹部２４の第二対向部２４ｂと第一嵌合凸部３６の第二対向部３６ｂとの間に配されて、弾性材で形成され両第一対向部２４ａ，３６ａの間に押圧されて収容され、モータ３４の振動を吸収する第一弾性部材５１，５２と、を備える。これにより、ファン部材３０とダクト部材２０，４０とにおけるモータ３４の軸方向の間及びモータ３４の回転方向の間とに設けた第一弾性部材５１，５２により、モータ３４の軸方向の振動及びモータ３４の回転方向の振動を吸収できるため、モータ３４の軸方向の振動及びモータ３４の回転方向の振動とのモータ３４の両方向の振動が、ダクト部材２０，４０に伝わることを抑制できる。
【００４０】
上述のように、本実施形態に係る送風装置１０によれば、第一嵌合凹部２４は、第一の四辺形状に形成され、第一嵌合凸部３６は、第一の四辺形状に相対する第二の四辺形状に形成され、第一の四辺形状と第二の四辺形状との夫々の四個の頂点部２４ｂ，３６ｂのうち、四個の隅を形成する任意の四個の頂点部２４ｂ，３６ｂを選択し、その選択された頂点部２４ｂ，３６ｂを覆う様に第一弾性部材５１が設けられる。これにより、第一弾性部材５１は、第一嵌合凹部２４と第一嵌合凸部３６とのうちで、四辺形状の四個の隅に設けることができ、第一弾性部材５１の配置の自由度が増える。
【００４１】
上述のように、本実施形態に係る送風装置１０によれば、ファン部材３０は、第一嵌合凸部３６を備え、第一弾性部材５１は、第一嵌合凸部３６の頂点部３６ｂを覆う様に設けられる。これにより、第一弾性部材５１の配置が、ファン部材３０に集約できる。
【００４２】
上述のように、本実施形態に係る送風装置１０によれば、ファン部材３０は、他端開口側に互いに嵌合自在な第二嵌合凹部４４と第二嵌合凸部３７とのうちのいずれか一方を有し、一端開口側に第二嵌合凹部４４と第二嵌合凸部３７との他方を有する第二ダクト部材４０を備え、第二嵌合凹部４４と第二嵌合凸部３７との各々に設けられ、互にモータ３４の軸方向で対向する第三対向部４４ａ，３７ａと、第二嵌合凹部４４と第二嵌合凸部３７との各々に設けられ、モータ３４の回転方向で対向する第四対向部４４ｂ，３７ｂと、第二嵌合凹部４４の第三対向部４４ａと第二嵌合凸部３７の第三対向部３７ａとの間及び第二嵌合凹部４４の第四対向部４４ｂと第二嵌合凸部３７の第四対向部３７ｂとの間に配されて、弾性材で形成され両第三対向部４４ａ，３７ａの間に押圧されて収容され、モータ３４の振動を吸収する第二弾性部材５２と、を備える。これにより、ファン部材３０と第一ダクト部材２０とにおけるモータ３４の軸方向の間及びモータ３４の回転方向の間とに設けた第一弾性部材５１と、ファン部材３０と第二ダクト部材４０とにおけるモータ３４の軸方向の間及びモータ３４の回転方向の間とに設けた第二弾性部材５２とにより、モータ３４の軸方向の振動及びモータ３４の回転方向の振動を吸収できる。従って、モータ３４の軸方向の振動及びモータ３４の回転方向の振動とのモータ３４の両方向の振動が、ファン部材３０から第一ダクト部材２０及び第二ダクト部材４０のいずれにも伝わることを抑制できる。
【００４３】
上述のように、本実施形態に係る送風装置１０によれば、第二嵌合凹部４４は、第三の四辺形状に形成され、第二嵌合凸部３７は、第三の四辺形状に相対する第四の四辺形状に形成され、第三の四辺形状と第四の四辺形状との夫々の四個の頂点部４４ｂ，３７ｂのうち、四個の隅を形成する任意の四個の頂点部４４ｂ，３７ｂを選択し、その選択された頂点部４４ｂ，３７ｂを覆う様に第二弾性部材５２が設けられる。これにより、第二弾性部材５２は、第二嵌合凹部４４と第二嵌合凸部３７とのうちで、四辺形状の四個の隅に設けることができ、第二弾性部材５２の配置の自由度が増える。
【００４４】
上述のように、本実施形態に係る送風装置１０によれば、ファン部材３０は、第二嵌合凸部３７を備え、第二弾性部材５２は、第二嵌合凸部３７の頂点部３７ｂを覆う様に設けられる。これにより、第二弾性部材５２の配置が、ファン部材３０に集約できる。
【００４５】
上述のように、本実施形態に係る送風装置１０は、送風装置１０が設けられたラジエータ１１を備えているコジェネレーションシステム８０に適用できる。これにより、コジェネレーションシステム８０は、送風装置１０による送風にて、ラジエータ１１周囲の暖気を取り除くことができる。
【００４６】
なお、複数の実施の形態が存在する場合、特に記載がある場合を除き、各々の実施の形態の特徴部分を適宜組合せることが可能であることは、明らかである。
【符号の説明】
【００４７】
１０…送風装置、１１…ラジエータ、２０…第一ダクト部材（ダクト部材）、２３…導風路、２４…第一嵌合凹部、２４ａ…第一対向部、２４ｂ…第二対向部、３０…ファン部材、３４…モータ、３５…ファン、３６…第一嵌合凸部、３６ａ…第一対向部、３６ｂ…第二対向部、３７…第二嵌合凸部、３７ａ…第三対向部、３７ｂ…第四対向部、４０…第二ダクト部材（ダクト部材）、４３…導風路、４４…第二嵌合凹部、４４ａ…第三対向部、４４ｂ…第四対向部、５１…第一弾性部材、５２…第二弾性部材、６０…係合部材、８０…コジェネレーションシステム
【図１】
0006651896.tif 000002
【図２】
0006651896.tif 000003
【図３】
0006651896.tif 000004
【図４】
0006651896.tif 000005